(57)【要約】【課題】組み立て後にも段数と高さを容易に変更することが可能な棚を提供する。【解決手段】水平方向に配置された平板状の第１棚板（１３ａ）および第２棚板（１３ｂ）と、上下の端部に固定部材（２２）が取り付けられた平板状の方立部（１２）を複数備え、第１棚板（１３ａ）の表面には第１支持部材（２１ａ）が複数設けられ、第２棚板（１３ｂ）の裏面には第２支持部材（２１ｂ）が複数設けられ、方立部（１２）は第１棚板（１３ａ）または第２棚板（１３ｂ）の奥行方向への摺動により、固定部材（２２）が第１支持部材（２１ａ）または第２支持部材（２１ｂ）に着脱自在に固定される棚。【選択図】図３
2020120833.tif 000002
【特許請求の範囲】
【請求項１】
水平方向に配置された平板状の第１棚板および第２棚板と、
上下の端部に固定部材が取り付けられた平板状の方立部を複数備え、
前記第１棚板の上面には第１支持部材が複数設けられ、
前記第２棚板の下面には第２支持部材が複数設けられ、
前記方立部は、前記第１棚板または前記第２棚板の奥行方向への摺動により、前記固定部材が前記第１支持部材または前記第２支持部材に着脱自在に固定されることを特徴とする棚。
【請求項２】
請求項１に記載の棚であって、
前記第２棚板は、前記複数の方立部によってのみ保持されていることを特徴とする棚。
【請求項３】
請求項１または２に記載の棚であって、
前記第２棚板の表面には、第３支持部材が複数設けられていることを特徴とする棚。
【発明の詳細な説明】
【技術分野】
【０００１】
本発明は、棚に関し、特に高さや段数を調整可能な棚に関する。
【背景技術】
【０００２】
従来から、書籍や置物を収容して展示するための棚として、高さや長さなどを変更して利用者が最適なレイアウトを選択できる組み立て型の棚が提案されている。例えば特許文献１には、Ｌ字部材やＴ字部材、十字部材を組み合わせて棚板や仕切りを追加する本棚が記載されている。また特許文献２には、仕切り板や棚板の平面部分に規格化した溝を形成しておき、仕切り板や棚板の端部を溝に差し込むことで所定形状を構成する棚が記載されている。また特許文献３には、棚板の平面部分に溝を形成し仕切り板を溝に嵌め込むことで、任意の箇所に仕切り板を追加して棚板を補強して支持する棚が記載されている。
【先行技術文献】
【特許文献】
【０００３】
【特許文献１】実開昭５９−０７０５３７号公報
【特許文献２】特開平０４−３５４９０２号公報
【特許文献３】特開２００７−０２９１５６号公報
【発明の概要】
【発明が解決しようとする課題】
【０００４】
しかし、特許文献１および２の従来技術では、棚板と仕切り板の組み合わせを決定して棚を完成させた後には、棚板や仕切り板を追加することは困難であり、部屋の利用形態に応じて棚の段数や高さを変更することができなかった。また、特許文献３の従来技術でも、仕切り板を追加して棚板の補強をすることが可能であるが、棚の段数や高さを変更することはできなかった。
【０００５】
そこで本発明は、上記従来の問題点に鑑みなされたものであり、組み立て後にも段数と高さを容易に変更することが可能な棚を提供することを目的とする。
【課題を解決するための手段】
【０００６】
上記課題を解決するために、本発明の棚は、水平方向に配置された平板状の第１棚板および第２棚板と、上下の端部に固定部材が取り付けられた平板状の方立部を複数備え、前記第１棚板の上面には第１支持部材が複数設けられ、前記第２棚板の下面には第２支持部材が複数設けられ、前記方立部は、前記第１棚板または前記第２棚板の奥行方向への摺動により、前記固定部材が前記第１支持部材または前記第２支持部材に着脱自在に固定されることを特徴とする。
【０００７】
このような本発明の棚では、方立部を第１棚板と第２棚板の奥行方向に摺動させることで、第１支持部材や第２支持部材に着脱自在に固定するため、棚の組み立て後にも第２棚板の取り外しや追加を行うことができ、段数と高さを容易に変更することが可能となる。
【０００８】
また本発明の一態様では、前記第２棚板は、前記複数の方立部によってのみ保持されている。
【０００９】
また本発明の一態様では、前記第２棚板の表面には、第３支持部材が複数設けられている。
【発明の効果】
【００１０】
本発明では、組み立て後にも段数と高さを容易に変更することが可能な棚を提供することができる。
【図面の簡単な説明】
【００１１】
【図１】第１実施形態における棚の概要を模式的に示す斜視図である。
【図２】台座部１１および棚板１３と壁面２の関係を模式的に示す図である。
【図３】方立部１２による棚板１３の固定方法について説明する模式図である。
【図４】低層の棚板１３ａまで棚を組み立てた状態を模式的に示す図である。
【図５】複数の方立部１２を棚板１３ａ上に固定した状態を模式的に示す図である。
【図６】高層の棚板１３ｂまで棚を組み立てた状態を模式的に示す図である。
【発明を実施するための形態】
【００１２】
（第１実施形態）
以下、本発明の実施の形態について、図面を参照して詳細に説明する。各図面に示される同一または同等の構成要素、部材、処理には、同一の符号を付すものとし、適宜重複した説明は省略する。図１は、本実施形態における棚の概要を模式的に示す斜視図である。図１に示すように本実施形態の棚は、床１と壁面２，３と柱４を有する居室内において壁面３に沿って配置されており、その幅は壁面３の幅と同程度となっている。また、棚は台座部１１と、複数の方立部１２と、複数の棚板１３を備えており、棚の上部には壁面３に固定された収納部１４が設けられている。
【００１３】
床１は、本実施形態の棚を配置する居室の床面であり、通常のフローリング等の床材で構成されている。壁面２は、棚の側面側に位置する居室の壁である。壁面３は、棚の背面に位置する居室の壁である。柱４は、居室の床から天井まで設けられた柱であり、住宅の構造を支えている。図１では、棚として壁面３の幅と同程度の幅を有するものを示し、棚の両側に壁面２と柱４が近接している例を示しているが、棚の幅と壁面３の幅とは異なっていてもよい。また、柱４が居室内に露出している例を示したが、住宅の構造は限定されず、柱４が存在しないスペースに棚を配置するとしてもよい。
【００１４】
台座部１１は、棚の最下段を構成する平板状の部材であり、床１上に略水平に配置されている。台座部１１は棚全体の荷重を支えるため、棚板１３よりも厚さや強度が大きい構造を用いることが好ましい。図１では台座部１１を床１上に壁面２から柱４に至るまで設けた例を示しているが、台座部１１の両側面を壁面２と柱４に固定し、床１の表面と台座部１１の間に空間を設けるとしてもよい。
【００１５】
方立部１２は、台座部１１および棚板１３に対して垂直に配置された平板状の部材である。方立部１２は下端が台座部１１や棚板１３の表面（上面）に接して立設されるともに、上端が棚板１３の裏面（下面）に接しており、複数の方立部１２により上段の棚板１３が保持される。図１に示した例では、最上段に位置する棚板１３と収納部１４との間に配置された方立部１２は、上端が収納部１４の下面に接している。
【００１６】
棚板１３は、水平方向に配置された平板状の部材であり、複数の方立部１２の上端により保持されている。図１に示すように棚板１３は複数の段にわたって設けられており、各段において方立部１２が横方向を仕切るとともに上段の棚板１３を保持している。棚板１３の構造や材料は限定されないが、壁面３の幅と同程度の長さを有するとともに、棚に書籍等を配置した場合にも撓まないことが求められるため、一枚の板材を用いることが好ましく、１ｍ以上の長さと数ｃｍの厚さを有するためには集成材を用いることが好ましい。
【００１７】
収納部１４は、本実施形態の棚とは別体で構成された箱状の部分であり、壁面２，３および柱４に固定して保持されている。図１に示した例では、棚の最上段に配置された方立部１２の上端が収納部１４の下面に接するような高さに収納部１４を設けている。図１では収納部１４の下面に方立部１２が接する例を示したが、最上段の方立部１２の上端と収納部１４の下面との間に空間を設けるとしてもよい。また、収納部１４を設けずに天井まで棚を設けるとしてもよく、棚板１３を最上部に設けるとしてもよい。
【００１８】
図１に示したように、本実施形態の棚では、各段の棚板１３は方立部１２によってのみ保持されており、棚の両端側や背面側には棚板１３を保持するための構造は設けられていない。また、棚板１３を壁面２，３や柱４に対して固定する構造も設けられていない。したがって、棚板１３の隙間からは壁面２，３および柱４が視認可能であり、各段の棚板１３が宙に浮いているような印象の意匠を実現している。また後述するように、下段の棚板１３上に方立部１２を固定し、方立部１２で上段の棚板１３を保持する構造であるため、棚板１３や方立部１２の取り外しや追加をすることができ、棚の高さを容易に変更することができる。
【００１９】
図２は、台座部１１および棚板１３と壁面２の関係を模式的に示す図である。図１では台座部１１を床１上に配置した例を示したが、図２では床１と台座部１１の間に空間を設けた例を示している。台座部１１は側面が壁面２に当接しており、内部に設けられた締結部材で壁面２に固定されている。台座部１１の上面には支持部材２１ａが設けられており、支持部材２１ａによって方立部１２が垂直に立設して保持されている。方立部１２の上には棚板１３が載置されており、棚板１３の下面（裏面）に設けられた支持部材２１ｂが方立部１２の上端に固定されている。棚板１３の上面（表面）にも、支持部材２１ａが設けられており、支持部材２１ａによって上段の方立部１２が垂直に立設して保持されている。棚板１３の側方端は、壁面２と所定距離を隔てた位置とされており、両者は非接触で間隙が設けられている。
【００２０】
図３は、方立部１２による棚板１３の固定方法について説明する模式図である。図３では、複数段ある棚板１３のうち下段に位置するものを棚板１３ａとし、上段に位置するものを棚板１３ｂと表している。また、棚板１３ａ，１３ｂに設けられた支持部材２１のうち、上面に設けられたものを支持部材２１ａと表し、下面に設けられたものを支持部材２１ｂと表している。また、方立部１２の上下端には、固定部材２２が設けられている。ここで、棚板１３ａ，１３ｂはそれぞれ本発明における第１棚板と第２棚板に相当し、棚板１３ａ上面に設けられた支持部材２１ａは第１支持部材に相当し、棚板１３ｂの下面に設けられた支持部材２１ｂは第２支持部材に相当し、棚板１３ｂの上面に設けられた支持部材２１ａは第３支持部材に相当している。
【００２１】
支持部材２１ａ，２１ｂは、棚板１３ａ，１３ｂの上下面に取り付けられた部材であり、固定部材２２と組み合わせて方立部１２と棚板１３ａ，１３ｂを固定する機能を実現する。図３に示した例では、支持部材２１ａ，２１ｂは長尺状であり、棚板１３ａ，１３ｂの奥行方向に沿って方立部１２に対応する位置に二つが設けられている。固定部材２２は、方立部１２の上下端に設けられた部材であり、支持部材２１ａ，２１ｂと組み合わせて方立部１２と棚板１３ａ，１３ｂを固定する機能を実現する。
【００２２】
図３に示すように、棚板１３ａ上の支持部材２１ａに対して方立部１２を奥行方向に摺動させて差し込むと、方立部１２の下端に設けられた固定部材２２と支持部材２１ａとは互いに噛み合って固定される。また、複数の方立部１２を棚板１３ａ上に固定した後に、棚板１３ｂ下面に設けられた支持部材２１ｂと方立部１２の位置を合わせて、棚板１３ｂを奥行方向に摺動させて差し込むと、方立部１２の上端に設けられた固定部材２２と支持部材２１ｂとは互いに係合して固定される。
【００２３】
支持部材２１ａ，２１ｂと固定部材２２の具体的な構造は限定されないが、例えばスライドレール機構とラッチ機構を備えるものを用いることができる。また、方立部１２の上下端に沿って溝を形成しておき、溝内に固定部材２２を埋め込む構造としてもよい。これにより、支持部材２１ａ，２１ｂが溝内を摺動することで支持部材２１ａ，２１ｂと固定部材２２の係合と解除を確実かつ容易に行うことが可能となる。
【００２４】
棚板１３ａ、方立部１２および棚板１３ａを組み立てた後には、上段の棚板１３ｂに所定以上の力を加えて手前に引き抜くと、方立部１２上端の固定部材２２と支持部材２１ｂの係合が解除されて、棚板１３ｂを方立部１２上で摺動させて取り外すことができる。また、同様に方立部１２に所定以上の力を加えて手前に引き抜くと、方立部１２下端の固定部材２２と支持部材２１ａの係合が解除されて、方立部１２を棚板１３ａ上で摺動させて取り外すことができる。
【００２５】
次に図４〜図６を用いて、棚板１３の追加および取り外しによる棚の高さ調整について説明する。図４は、低層の棚板１３ａまで棚を組み立てた状態を模式的に示す図である。図５は、複数の方立部１２を棚板１３ａ上に固定した状態を模式的に示す図である。図６は、高層の棚板１３ｂまで棚を組み立てた状態を模式的に示す図である。
【００２６】
図４に示したように、台座部１１上に三枚の方立部１２を立設して一段目の棚板１３を保持し、一段目の棚板１３上にも三枚の方立部１２を立設して二段目の棚板１３ａを保持している。このとき、二段目の棚板１３ａには上面に支持部材２１ａが設けられている。図４に示した状態でも、二層構造の棚として各棚板１３，１３ａ上に書籍等を載置して利用することが可能である。このとき、棚板１３ａと収納部１４の間からは壁面３が露出しており、壁面３に絵画や写真等の展示物を掲示することも可能である。
【００２７】
棚の高さを追加する場合には、図５に示したように二段目の棚板１３ａに設けられた支持部材２１ａに方立部１２下端の固定部材２２を嵌合させ、棚板１３ａ上に等間隔に三枚の方立部１２を立設させる。次に、図６に示したように三段目の棚板１３ｂを取り付けることで、棚板１３ｂが追加された三層構造の棚が完成する。このように本実施形態の棚では、二層構造として完成していた棚についても、方立部１２と棚板１３ｂを追加することで、高さを追加した三層構造に容易に変更することが可能である。また、さらに方立部１２と棚板１３ｂを追加することで三層以上の構造とし、図１に示したように収納部１４に到達するまで層構造を追加することも可能である。逆に、最上段の棚板１３ｂと方立部１２を取り外すことで、棚板１３の数を減少させて棚を低くすることも可能である。
【００２８】
上述したように本実施形態の棚では、方立部１２を棚板１３ａの奥行方向に摺動させることで、支持部材２１ａに取り付けて固定するため、棚を組み立て後にも方立部１２と棚板１３ｂを追加することができ、段数と高さを容易に変更することが可能となる。
【００２９】
（第２実施形態）
上述した第１実施形態では、図５で示した最上段の棚板１３ｂの上面に支持部材２１ａが設けられた例を示したが、棚を完成させた状態の最上段の棚板１３ｂに支持部材２１ａを設けず平坦面としてもよい。これにより、最上段の棚板１３ｂの全域を有効に利用することが可能となる。
【００３０】
また、第１実施形態に置いて図１、図４、図６に示した棚では、方立部１２を設ける位置が全ての階層において一致しているが、各層を構成する棚板１３に設けられた支持部材２１ａおよび支持部材２１ｂの位置を変化させ、様々なレイアウトの棚を構成するとしてもよい。ただし、棚板１３は一枚の平板状部材であり、方立部１２によってのみ保持されているので、棚全体の強度を確保し各層の棚板１３が撓むことを防止するためには、均等な間隔で方立部１２を固定することが好ましい。
【００３１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００３２】
１…床
２…壁面
３…壁面
４…柱
１１…台座部
１２…方立部
１３，１３ａ，１３ｂ…棚板
１４…収納部
２１，２１ａ，２１ｂ…支持部材
２２…固定部
【図１】
2020120833.tif 000003
【図２】
2020120833.tif 000004
【図３】
2020120833.tif 000005
【図４】
2020120833.tif 000006
【図５】
2020120833.tif 000007
【図６】
2020120833.tif 000008